(57)【要約】【課題】回転方向を常に一定にすると共に、回転の立上りを速くし且つスロー・リトリーブ時でも確実に回転させる。【解決手段】ブレイド１は、全体的に湾曲した薄板からなる。前端と尾端１ｂを通る軸線ｘより上半分１ｃの前縁１ｅは、全体の湾曲と同方向に曲げられている。また、軸線ｘより下半分１ｄの前縁１ｆは、全体の湾曲と逆方向に曲げられている。つまり、軸線ｘに対して上半分１ｃと下半分１ｄが非対称になっている。ただし、上半分１ｃと下半分１ｄの重量は等しくなっている。【効果】回転方向を常に一定に出来る。回転の立上りを速くし且つスロー・リトリーブ時でも確実に回転させることが出来る。【選択図】　図１
2004113038.tif 000002
【特許請求の範囲】
【請求項１】
全体的に湾曲した薄板からなるスピナー用のブレイドであって、前端から尾端へ通る軸線より上半分の前縁と下半分の前縁の一方が前記湾曲と逆方向に曲げられ、他方が前記湾曲と同方向に曲げられており、且つ、上半分と下半分の重量が等しいことを特徴とするブレイド。
【請求項２】
全体的に湾曲した薄板からなるスピナー用のブレイドであって、前端から尾端へ通る軸線より上半分の縁部と下半分の縁部の一方が他方より大きく湾曲しており、且つ、上半分と下半分の重量が等しいことを特徴とするブレイド。
【請求項３】
第１のブレイドと第２のブレイドとを持つダブル・ブレイド・タイプのスピナーベイトであって、第１のブレイドは、全体的に湾曲した薄板からなり、前端から尾端へ通る軸線より上半分の前縁が前記湾曲と同方向に曲げられ、下半分の前縁が前記湾曲と逆方向に曲げられており、且つ、上半分と下半分の重量が等しく、第２のブレイドは、全体的に湾曲した薄板からなり、前端から尾端へ通る軸線より上半分の前縁が前記湾曲と逆方向に曲げられ、下半分の前縁が前記湾曲と同方向に曲げられており、且つ、上半分と下半分の重量が等しいことを特徴とするスピナーベイト。
【請求項４】
第１のブレイドと第２のブレイドとを持つダブル・ブレイド・タイプのスピナーベイトであって、第１のブレイドは、全体的に湾曲した薄板からなり、前端から尾端へ通る軸線より上半分の縁部が下半分の縁部より大きく湾曲しており、且つ、上半分と下半分の重量が等しく、第２のブレイドは、全体的に湾曲した薄板からなり、前端から尾端へ通る軸線より下半分の縁部が上半分の縁部より大きく湾曲しており、且つ、上半分と下半分の重量が等しいことを特徴とするスピナーベイト。
【発明の詳細な説明】
【０００１】
【発明の属する技術分野】
本発明は、ブレイドおよびスピナーベイトに関し、さらに詳しくは、回転方向が常に一定になると共に、回転の立上りが速く且つスロー・リトリーブ時でも確実に回転するブレイドおよびそのブレイドを用いたスピナーベイトに関する。
【０００２】
【従来の技術】
従来、第１のブレイドと第２のブレイドとを持つダブル・ブレイド・タイプのスピナーベイトが知られている。
【０００３】
ダブル・ブレイド・タイプのスピナーベイトでは、第１のブレイドと第２のブレイドとが逆方向に回転すると、それぞれの回転力の影響が相殺されるため、安定性が向上する。一方、第１のブレイドと第２のブレイドとが同方向に回転すると、両方の回転力の影響が増幅されて大きく振動し、集魚力が上がることがある。
【０００４】
他方、全体的に湾曲した薄板からなり、前端部に取付孔を有し、前端から尾端へ通る軸線に対して上半分と下半分とが対称のブレイドが知られている。このような対称ブレイドは、軸線に対して上半分と下半分とが対称であるため、回転方向が一定にならない。つまり、ある時には前から見て時計回りに回転し、別な時には前から見て反時計回りに回転する。
【０００５】
また、全体的に湾曲した薄板からなり、前端部に取付孔を有し、前端から尾端へ通る軸線に対して上半分と下半分とが非対称のブレイドも知られている。このような非対称ブレイドは、軸線に対して上半分と下半分とが非対称であるため、回転方向が常に一定になる。つまり、前から見て時計回りに常に回転するか又は前から見て反時計回りに常に回転するかのいずれかになる。
【０００６】
【発明が解決しようとする課題】
第１のブレイドおよび第２のブレイドに対称ブレイドを用いると、ある時は両ブレードが逆方向に回転し、別な時は両ブレードが同方向に回転し、どちらになるか判らない問題点がある。
【０００７】
これに対して、第１のブレイドおよび第２のブレイドに非対称ブレイドを用いると、両ブレードを常に逆方向に回転させたり、常に同方向に回転させることが出来る。
しかし、従来の非対称ブレイドは、軸線の上半分と下半分の一方が他方より重かったため、重い方が下になった姿勢で安定し、回転の立上りが遅くなる問題点がある。また、スロー・リトリーブ時に回転しないことがある問題点がある。
【０００８】
そこで、本発明の目的は、回転方向が常に一定になると共に、回転の立上りが速く且つスロー・リトリーブ時でも確実に回転するブレイドおよびそのブレイドを用いたスピナーベイトを提供することにある。
【０００９】
【課題を解決するための手段】
第１の観点では、本発明は、全体的に湾曲した薄板からなるスピナー用のブレイドであって、前端から尾端へ通る軸線より上半分の前縁と下半分の前縁の一方が前記湾曲と逆方向に曲げられ、他方が前記湾曲と同方向に曲げられており、且つ、上半分と下半分の重量が等しいことを特徴とするブレイドを提供する。
上記第１の観点によるブレイドでは、前端から尾端へ通る軸線より上半分の前縁と下半分の前縁の一方が前記湾曲と逆方向に曲げられ、他方が前記湾曲と同方向に曲げられているため、回転方向が常に一定になる。また、軸線より上半分と下半分の重量が等しいため、回転の立上りが速く且つスロー・リトリーブ時でも確実に回転する。
【００１０】
第２の観点では、本発明は、全体的に湾曲した薄板からなるスピナー用のブレイドであって、前端から尾端へ通る軸線より上半分の縁部と下半分の縁部の一方が他方より大きく湾曲しており、且つ、上半分と下半分の重量が等しいことを特徴とするブレイドを提供する。
上記第２の観点によるブレイドでは、前端から尾端へ通る軸線より上半分の縁部と下半分の縁部の一方が他方より大きく湾曲しているため、回転方向が常に一定になる。また、軸線より上半分と下半分の重量が等しいため、回転の立上りが速く且つスロー・リトリーブ時でも確実に回転する。
【００１１】
第３の観点では、本発明は、第１のブレイドと第２のブレイドとを持つダブル・ブレイド・タイプのスピナーベイトであって、第１のブレイドは、全体的に湾曲した薄板からなり、前端から尾端へ通る軸線より上半分の前縁が前記湾曲と同方向に曲げられ、下半分の前縁が前記湾曲と逆方向に曲げられており、且つ、上半分と下半分の重量が等しく、第２のブレイドは、全体的に湾曲した薄板からなり、前端から尾端へ通る軸線より上半分の前縁が前記湾曲と逆方向に曲げられ、下半分の前縁が前記湾曲と同方向に曲げられており、且つ、上半分と下半分の重量が等しいことを特徴とするスピナーベイトを提供する。
上記第３の観点によるスピナーベイトでは、第１のブレイドと第２のブレイドとが常に逆方向に回転するため、安定性が向上する。また、両ブレイドの回転の立上りが速く且つスロー・リトリーブ時でも確実に回転する。
【００１２】
第４の観点では、本発明は、第１のブレイドと第２のブレイドとを持つダブル・ブレイド・タイプのスピナーベイトであって、第１のブレイドは、全体的に湾曲した薄板からなり、前端から尾端へ通る軸線より上半分の縁部が下半分の縁部より大きく湾曲しており、且つ、上半分と下半分の重量が等しく、第２のブレイドは、全体的に湾曲した薄板からなり、前端から尾端へ通る軸線より下半分の縁部が上半分の縁部より大きく湾曲しており、且つ、上半分と下半分の重量が等しいことを特徴とするスピナーベイトを提供する。
上記第４の観点によるスピナーベイトでは、第１のブレイドと第２のブレイドとが常に逆方向に回転するため、安定性が向上する。また、両ブレイドの回転の立上りが速く且つスロー・リトリーブ時でも確実に回転する。
【００１３】
【発明の実施の形態】
以下、図を参照して本発明の実施の形態を説明する。なお、これにより本発明が限定されるものではない。
【００１４】
−第１の実施形態−
図１は、第１の実施形態に係るブレイド１を示す６面図であり、（ａ）は正面図、（ｂ）は右側面図、（ｃ）は背面図、（ｄ）は上面図、（ｅ）は底面図、（ｆ）は左側面図である。
このブレイド１は、全体的に湾曲した薄板からなる。全体の形状は、例えば、ウィローリーフ形（抵抗の少ない「柳の葉」の形），コロラド形（幅広の「花びら」の形），インディアナ形（細めの「たまご」の形）のいずれかである。薄板の材料は、真鍮，スチール，アルミニウム，ステンレス，ジュラルミン，タングステン又はプラスチック等である。
【００１５】
ブレイド１の前端部には、取付孔１ａが設けられている。また、前端と尾端１ｂを通る軸線ｘより上半分１ｃの前縁１ｅは、全体の湾曲と同方向に曲げられている。また、軸線ｘより下半分１ｄの前縁１ｆは、全体の湾曲と逆方向に曲げられている。つまり、軸線ｘに対して上半分１ｃと下半分１ｄが非対称になっている。ただし、上半分１ｃと下半分１ｄの重量は等しくなっている。
【００１６】
図２に示すように、水流中で、ブレイド１の上半分１ｃには、左右から圧力Ｐ１，Ｐ２がかかるが、ブレイド１が全体に翼状に湾曲しており且つ上半分前縁１ｅが曲げられているため、Ｐ１＞Ｐ２となる。また、水流中で、ブレイド１の下半分１ｄには、左右から圧力Ｐ３，Ｐ４がかかるが、ブレイド１が全体に翼状に湾曲しており且つ下半分前縁１ｆが曲げられているため、Ｐ３＜Ｐ４となる。このため、ブレイド１は、前から見て常に時計方向に回転する。
そして、上半分１ｃと下半分１ｄの重量が等しいため、回転の立上りが速く且つスロー・リトリーブ時つまり弱い水流時でも確実に回転する。
【００１７】
−第２の実施形態−
図３は、第２の実施形態に係るブレイド２を示す６面図であり、（ａ）は正面図、（ｂ）は右側面図、（ｃ）は背面図、（ｄ）は上面図、（ｅ）は底面図、（ｆ）は左側面図である。
このブレイド２は、全体的に湾曲した薄板からなる。全体の形状は、例えば、ウィローリーフ形（抵抗の少ない「柳の葉」の形），コロラド形（幅広の「花びら」の形），インディアナ形（細めの「たまご」の形）のいずれかである。薄板の材料は、真鍮，スチール，アルミニウム，ステンレス，ジュラルミン，タングステン又はプラスチック等である。
【００１８】
ブレイド２の前端部には、取付孔２ａが設けられている。また、前端と尾端２ｂを通る軸線ｘより上半分２ｃの前縁２ｅは、全体の湾曲と逆方向に曲げられている。また、軸線ｘより下半分２ｄの前縁２ｆは、全体の湾曲と同方向に曲げられている。つまり、軸線ｘに対して上半分２ｃと下半分２ｄが非対称になっている。ただし、上半分２ｃと下半分２ｄの重量は等しくなっている。
【００１９】
図４に示すように、水流中で、ブレイド２の上半分２ｃには、左右から圧力Ｐ５，Ｐ６がかかるが、ブレイド２が全体に翼状に湾曲しており且つ上半分前縁２ｅが曲げられているため、Ｐ５＜Ｐ６となる。また、水流中で、ブレイド２の下半分２ｄには、左右から圧力Ｐ７，Ｐ８がかかるが、ブレイド２が全体に翼状に湾曲しており且つ下半分前縁２ｆが曲げられているため、Ｐ７＞Ｐ８となる。このため、ブレイド２は、前から見て常に反時計方向に回転する。
そして、上半分２ｃと下半分２ｄの重量が等しいため、回転の立上りが速く且つスロー・リトリーブ時つまり弱い水流時でも確実に回転する。
【００２０】
−第３の実施形態−
図５は、第３の実施形態に係るスピナーベイト１１２を示す右側面図である。また、図６は、第３の実施形態に係るスピナーベイト１１２を示す上面図である。
このルアー１１２は、３ｃｍ以上１５ｃｍ以下の全長を有するロッド１１と、ロッド１１の上端側に例えば３ｃｍ程度の間隔で取り付けられたブレイド１，２と、ロッド１１の中央付近と下端の２点でロッド１１を係止する「く」の字形のアーム１３と、アーム１３の下端に取り付けられたジグヘッド１４と、ジグヘッド１４の尾部に固設されたフック１５と、ジグヘッド１４から吹き流されたラバー・スカート１６とを具備して構成されている。
【００２１】
ロッド１１の下端は、係止リング部１１ｅになっている。
【００２２】
ブレイド１は第１の実施形態で説明したブレイドであり、ブレイド２は第２の実施形態で説明したブレイドである。ブレイド１，２の大きさは、同じでも、異なっていてもよい。
【００２３】
アーム１３の上端は、係止リング部１３ｅになっている。アーム１３と係止リング部１３ｅのなす角度は、例えば４５゜である。また、アーム１３の「く」の字の角部には、ライン（釣り糸）を結び付けるためのアイレットＥが形成されている。
【００２４】
ロッド１１と係止リング部１３ｅとがなす角度θは、例えば４５°である。ただし、この角度θは、ロッド１１の係止リング部１１ｅをアーム１３の「く」の字の角部とジグヘッド１４側の端部との間の区間でスライドさせることで可変となっている。ロッド１１の係止リング部１１ｅをアーム１３のジグヘッド１４側の端部に寄せた状態での角度θは、例えば７５°である。
【００２５】
次に、スピナーベイト１１２を使用したフィッシングの手順について説明する。
（１）アングラーは、釣り竿に装着されたリールに巻き付けられたラインの先端をスピナーベイト１１２のアイレットＥに結ぶ。スピナーベイト１１２を垂らした状態では、ブレイド１，２の重みでロッド１１の係止リング部１１ｅがアーム１３の「く」の字の角部に寄るため、角度θが最小（例えば４５゜）となる。
（２）アングラーが釣り竿を振ってキャスティングすると、ラインを引っ張りながら飛ぶため、フック１５の側が先になって飛ぶ。この状態では、フック１５の側からジグヘッド１４の頭部の側への空気流となるため、ブレイド１，２が受ける空気流により角度θが最大（例えば７５゜）となり、ロッド１１がキャスト方向に対して少し後方に倒れ込む。これにより、スピナーベイト１１２の重心がキャスト方向の反対側に少し移動するため、飛行姿勢が安定して飛びやすくなる。
【００２６】
（３）スピナーベイト１１２を水中で略垂直にフォーリング（キャストしたルアーが沈降すること）させると、ロッド１１が略垂直に立った状態で沈降する。すると、水流により、ブレイド１，２が互いに逆方向に回転する。したがって、安定して沈降し、魚が隠れていそうなポイント（例えばクイ打ちポイント）を狙ってスピナーベイト１１２を正確に沈めることが可能となる。
【００２７】
（４）シェイキング（ルアーを小刻みにしゃくり上げる操作），ストップ＆ゴー（リーリングをしては止めることを繰り返す操作），リフト＆フォール（ルアーを水底から引き上げては落とし込むことを繰り返す操作），トウィッチング（釣り竿を細かく振動させては止めることを繰り返す操作），ジャーキング（軽やかにルアーをスライドさせてはピタッと止めることを繰り返す操作）などのテクニックを駆使すると、水流により、ブレイド１，２が互いに逆方向に回転する。したがって、スピナーベイト１１２が安定性して進む。また、角度θが最小となる状態と最大となる状態の間で変化するので、スピナーベイト１１２が伸縮したかの如き視覚的変化を得ることが可能となり、魚の興味を強く引くことが出来る。
【００２８】
なお、ラバー・スカート１６に代えて、又はそれに加えて、フック１５にワームなどのソフト・ルアーを取り付けてもよい。
【００２９】
−第４の実施形態−
図７は、第４の実施形態に係るスピナーベイト１１１を示す右側面図である。このルアー１１１は、第３の実施形態に係るスピナーベイト１１２のブレイド２の代わりにブレイド１を取り付けたものである。
【００３０】
このルアー１１１によれば、水流により、ブレイド１，１が同方向に回転する。したがって、スピナーベイト１１１が大きく振動し、魚の興味を強く引くことが出来る場合もある。
【００３１】
−第５の実施形態−
図８は、第５の実施形態に係るブレイド３を示す６面図であり、（ａ）は正面図、（ｂ）は右側面図、（ｃ）は背面図、（ｄ）は上面図、（ｅ）は底面図、（ｆ）は左側面図である。
このブレイド３は、全体的に湾曲した薄板からなる。全体の形状は、例えば、ウィローリーフ形（抵抗の少ない「柳の葉」の形），コロラド形（幅広の「花びら」の形），インディアナ形（細めの「たまご」の形）のいずれかである。薄板の材料は、真鍮，スチール，アルミニウム，ステンレス，ジュラルミン，タングステン又はプラスチック等である。
【００３２】
ブレイド３の前端部には、取付孔３ａが設けられている。また、前端と尾端３ｂを通る軸線ｘより上半分３ｃの上縁３ｇが下半分３ｄの下縁３ｈより大きく湾曲している。つまり、軸線ｘに対して上半分３ｃと下半分３ｄが非対称になっている。ただし、上半分３ｃと下半分３ｄの重量は等しくなっている。
【００３３】
図９に示すように、水流中で、ブレイド３の上半分３ｃには、左右から圧力Ｐ９，Ｐ１０がかかるが、ブレイド３が全体に翼状に湾曲しているため、Ｐ９＞Ｐ１０となる。また、水流中で、ブレイド３の下半分３ｄには、左右から圧力Ｐ１１，Ｐ１２がかかるが、ブレイド３が全体に翼状に湾曲しているため、Ｐ１１＞Ｐ１２となる。ところが、上縁３ｇが下縁３ｈより大きく湾曲しているため、（Ｐ９−Ｐ１０）＞（Ｐ１１−Ｐ１２）となる。このため、ブレイド３は、前から見て常に時計方向に回転する。
そして、上半分３ｃと下半分３ｄの重量が等しいため、回転の立上りが速く且つスロー・リトリーブ時つまり弱い水流時でも確実に回転する。
【００３４】
−第６の実施形態−
図１０は、第６の実施形態に係るブレイド４を示す６面図であり、（ａ）は正面図、（ｂ）は右側面図、（ｃ）は背面図、（ｄ）は上面図、（ｅ）は底面図、（ｆ）は左側面図である。
このブレイド４は、全体的に湾曲した薄板からなる。全体の形状は、例えば、ウィローリーフ形（抵抗の少ない「柳の葉」の形），コロラド形（幅広の「花びら」の形），インディアナ形（細めの「たまご」の形）のいずれかである。薄板の材料は、真鍮，スチール，アルミニウム，ステンレス，ジュラルミン，タングステン又はプラスチック等である。
【００３５】
ブレイド４の前端部には、取付孔４ａが設けられている。また、前端と尾端４ｂを通る軸線ｘより下半分４ｄの下縁４ｈが上半分４ｃの上縁４ｇより大きく湾曲している。つまり、軸線ｘに対して上半分４ｃと下半分４ｄが非対称になっている。ただし、上半分４ｃと下半分４ｄの重量は等しくなっている。
【００３６】
図１１に示すように、水流中で、ブレイド４の上半分４ｃには、左右から圧力Ｐ１３，Ｐ１４がかかるが、ブレイド４が全体に翼状に湾曲しているため、Ｐ１３＞Ｐ１４となる。また、水流中で、ブレイド４の下半分４ｄには、左右から圧力Ｐ１５，Ｐ１６がかかるが、ブレイド４が全体に翼状に湾曲しているため、Ｐ１５＞Ｐ１６となる。ところが、上縁４ｇが下縁４ｈより大きく湾曲しているため、（Ｐ１３−Ｐ１４）＜（Ｐ１５−Ｐ１６）となる。このため、ブレイド４は、前から見て常に反時計方向に回転する。
そして、上半分４ｃと下半分４ｄの重量が等しいため、回転の立上りが速く且つスロー・リトリーブ時つまり弱い水流時でも確実に回転する。
【００３７】
−第７の実施形態−
図１２は、第７の実施形態に係るスピナーベイト１３４を示す右側面図である。
このルアー１３４は、第３の実施形態に係るスピナーベイト１１２のブレイド１の代わりにブレイド３を取り付け、ブレイド２の代わりにブレイド４を取り付けたものである。
【００３８】
このルアー１３４によれば、水流により、ブレイド３，４が逆方向に回転する。したがって、スピナーベイト１３４が安定し、コントロールが容易になる。
【００３９】
−第８の実施形態−
図１３は、第８の実施形態に係るスピナーベイト１３３を示す右側面図である。
このルアー１３３は、第３の実施形態に係るスピナーベイト１１２のブレイド１，２の代わりにブレイド３，３を取り付けたものである。
【００４０】
このルアー１３３によれば、水流により、ブレイド３，３が同方向に回転する。したがって、スピナーベイト１３３が大きく振動し、魚の興味を強く引くことが出来る場合もある。
【００４１】
【発明の効果】
本発明のブレイドによれば、回転方向を常に一定に出来ると共に、回転の立上りを速くし、且つ、スロー・リトリーブ時でも確実に回転させることが出来る。また、本発明のスピナーベイトによれば、２つのブレイドが常に逆方向に回転するため、安定性が増し、コントロールが容易になる。
【図面の簡単な説明】
【図１】第１の実施形態に係るブレイドを示す６面図である。
【図２】第１の実施形態に係るブレイドに加わる水圧を示す説明図である。
【図３】第２の実施形態に係るブレイドを示す６面図である。
【図４】第２の実施形態に係るブレイドに加わる水圧を示す説明図である。
【図５】第３の実施形態に係るスピナーベイトを示す左側面図である。
【図６】第３の実施形態に係るスピナーベイトを示す上面図である。
【図７】第４の実施形態に係るスピナーベイトを示す左側面図である。
【図８】第５の実施形態に係るブレイドを示す６面図である。
【図９】第５の実施形態に係るブレイドに加わる水圧を示す説明図である。
【図１０】第６の実施形態に係るブレイドを示す６面図である。
【図１１】第６の実施形態に係るブレイドに加わる水圧を示す説明図である。
【図１２】第７の実施形態に係るスピナーベイトを示す左側面図である。
【図１３】第８の実施形態に係るスピナーベイトを示す左側面図である。
【符号の説明】
１，２，３，４　　　　　　　ブレイド
１ｃ，２ｃ，３ｃ，４ｃ　　　上半分
１ｄ，２ｄ，３ｄ，４ｄ　　　下半分
１ｅ，２ｅ　　　　　　　　　上半分前縁
１ｆ，２ｆ　　　　　　　　　下半分前縁
３ｇ，４ｇ　　　　　　　　　上縁
３ｈ，４ｈ　　　　　　　　　下縁
ｘ　　　　　　　　　　　　　軸線
【図１】
2004113038.tif 000003
【図２】
2004113038.tif 000004
【図３】
2004113038.tif 000005
【図４】
2004113038.tif 000006
【図５】
2004113038.tif 000007
【図６】
2004113038.tif 000008
【図７】
2004113038.tif 000009
【図８】
2004113038.tif 000010
【図９】
2004113038.tif 000011
【図１０】
2004113038.tif 000012
【図１１】
2004113038.tif 000013
【図１２】
2004113038.tif 000014
【図１３】
2004113038.tif 000015